(57)【要約】【課題】ペタンク競技において、ビュットと呼ばれる目標球（直径２．５ｍｍ〜３．５ｍｍ）と金属製の中空構造のボール（７１ｍｍ〜７３ｍｍ）の球面までの距離間を迅速にしてかつ正確に計測なし得るペタンク用計測器。【解決手段】直線的に伸び出る巻尺を収容した巻尺ケースの底面に設けられた固定軸棒を地面につけ、ガイドプレートの基準点を目標球の中心部に合わせるように設置し、巻尺ケースよりスケール繰り出し、緩衝材が付けられたスケール先端部をボールの側面にあてがうことにより、目標球とボール間の距離計測を行うペタンク用メジャーである。【選択図】図１
2007044315.tif 000002
【特許請求の範囲】
【請求項１】
目標球の中心点から競技球の球面までの距離を計測する計測器であって、直線的に伸び出る巻尺を収容した巻尺ケースと、このケースの下側に巻尺が伸び出る際の支えをなし、かつ目標球の中心点を捉える部分を設けたガイドプレートと、このプレートを支持するとともに計測時の巻尺の高さを確保する軸棒とを設け、巻尺の伸び出る先端には競技球の球面に接する緩衝材を取り付けたペタンク用距離計測器。
【請求項２】
前記ガイドプレートは、目標球の中心点を捉えるため楔状突出部を設けるか又は、一部を透明体より構成し、その部分に目標球の中心点を捉えるための基準線を設けた請求項１記載のペタンク用距離計測器。
【請求項３】
計測時の巻尺の高さを確保する前記軸棒は、ガイドプレートに設けた楔状突出部分又は基準線よりも目標球の半径以上後方に距離を置いて取り付けられている請求項２記載のペタンク用距離計測器。
【請求項４】
計測時に競技球の球面に接する前記巻尺の先端には、スポンジ又は、発泡ポリウレタンからなる緩衝材が取り付けられている請求項１又は請求項２又は請求項３記載のペタンク用距離計測器。
【発明の詳細な説明】
【技術分野】
【０００１】
本発明は、ペタンク競技において、特に得点をカウントする際、ビュットと呼ばれる目標球（直径２．５ｍｍ〜３．５ｍｍ）から金属製の中空構造のボールと呼ばれる競技球（７１ｍｍ〜７３ｍｍ）の球面までの距離間を迅速にしてかつ正確に計測し得るペタンク用距離計測器に関するものである。
【背景技術】
【０００２】
ペタンク競技における取得点の加算において、ビュットから味方ボール又は相手ボールの近いほうが得点を加算できるルールがある。また競技進行中においても、ビュットに一番近いボールを基準にそれより遠いチーム又は競技者が常に次のボールを投球しなければならない等のルールがある。そこで、ビュットからそれぞれのボールの遠近差については、審判や競技者の目測により容易に判断できる場合は、ことさら距離計測を要せず競技が進行している。
【０００３】
しかし、目測により判断が下せないような場合は、審判が各自で用意した巻尺スケール又は折れ尺又はコンパス等の計測器具類を利用し、ビュットからそれぞれのボールの距離を計測し、どちらのボールがビュットから近いかの判定を下している。
【０００４】
ちなみに、ペタンク公式競技規則においても、取得点の加算について、どのようにビュットからのそれぞれのボールの遠近を計測するかについて詳細は規定されておらず、単にビュットから近いボールの数だけポイントとなるという表現に留まっている。計測器具に関しても、通常のメジャーでは測定できない場合はコンパスを使用するという記述やポイントを測定するときは、適切な測定器具を使用しなければならないというところまでしか規定されていない(非特許文献１参照)。
【０００５】
それゆえ、実際どのような器具で、ビュットのどの部分（点）からボールのどの部分（点）までを計測するかについては審判の判断に委ねられているのが現状である。
【０００６】
またこのような現状から、競技者の中から客観的かつ公正に計測しうる器具を求める声も高まっている。
【非特許文献１】「ペタンク公式競技規則」、国際ペタンク・プロバンサル連盟、１９９５年  第２５条、第２６条
【発明の開示】
【発明が解決しようとする課題】
【０００７】
そこで、両者のボールの距離がビュットから近似し、実際に距離の計測が必要となった場合、審判がビュットのどの部分（点）からボールのどの部分（点）までを計測しているのかということが問題になってくる。また、審判が計測時にスケールの目盛りを読む際の視点の角度により誤差が生じてくるという問題点も挙げられている。さらには、ボールにスケール等の計測器具をあてがった際、ボールが多少動いたり、ビュットに計測者の手やスケールが触れて動いたりするということも発生している。そのため、特に両者のボールが近似して、その計測が勝敗を分けるような場合、競技者から審判の計測のありかたについてしばしば問題となることがある。
【０００８】
上述のような現状から、本発明はペタンク競技におけるビュットからボールまでの距離計測にあたり、明確な基準により、迅速かつ正確な計測器具を実現することを目的としたものである。
【課題を解決するための手段】
【０００９】
本発明は、上記のような従来の計測にまつわる諸問題に鑑み、開発するにいたった新規なペタンク用距離計測器である。
【００１０】
直線的に伸び出る巻尺を収容した巻尺ケースと、このケースの下側に巻尺が伸び出る際の支えをなし、かつ目標球の中心点を捉える部分を設けたガイドプレートと、このプレートを支持するとともに計測時の巻尺の高さを確保する軸棒とを設ける。
【００１１】
ガイドプレートは目標球の中心点を容易に見出しやすいような楔状の突出部分を設けるか又は、アクリル等の透明体によって形成され、ビュットと呼ばれる目標球（直径２．５ｍｍ〜３．５ｍｍ）の直径をもとに２本の平行な補助線とその中間に基準線を設ける。
【００１２】
固定軸棒は、地面に接した状態でビュットと呼ばれる目標球（直径２．５ｍｍ〜３．５ｍｍ）の高さより若干高くし、ガイドプレートがビュットに接しないような高さにする。このことによりスケール本体の安定性を保持し、ビュットの中心点を正確に定め、計測精度の向上を図る。
【００１３】
また上記の固定軸及びガイドプレートを設けた巻尺のスケール部先端にスポンジ又は、発泡ポリウレタンからなる緩衝材を取り付けることにより、スケールの先端が球状物体の側面に接しても動くことを回避し計測精度の向上を図る。
【発明の効果】
【００１４】
上述したように、本発明は直線的に伸び出る巻尺を収容した巻尺ケースの底面に棒状の固定軸並びに、ガイドプレートを設け、さらにスケールの先端部に緩衝材を取付けたペタンク用メジャーである。
【００１５】
計測時に球状のビュットの中心点を定める際、固定軸棒が地面に接することでメジャー本体が安定するため、ビュットにメジャーや身体の一部が触れて動く可能性を極力低くする効果がある。
【００１６】
また、スケールの先端部にスポンジ等の緩衝材を設けることで、スケールの先端をボールにあてがった際、ボールが動く可能性を極力低くする効果がある。
【００１７】
このことにより、ビュットの中心点から各々のボールの側面までの距離を迅速かつ正確に計測することを可能とし、従来の計測にまつわるトラブルを回避することに効果を奏し、客観的かつ公正に計測しうる計測器の実現という競技者の要望に応えることができる。
【００１８】
この計測器が従来の諸問題を解決するとともに、副次的にペタンク競技の普及に貢献なしうるものと考えられる。
【００１９】
加えてこの計測器は、携帯性にも優れており、審判が競技中常に携帯しても支障がないことが挙げられる。
【発明を実施するための最良の形態】
【００２０】
本発明の実施の形態を図面に基づいて説明すると、図１が示すように巻尺ケース１の底面に金属又はプラスチック製の固定軸棒３及びスケールガイドプレート２を設け、さらにスケールの先端部にスポンジ等の緩衝材５を設けたものである。
【００２１】
スケールのガイドプレートにおいては、図２が示すように、上方から凝視したとき、ビュット７の中心点が容易に定まるよう切込み加工を施した基準点２ａを設ける。
【００２２】
さらに図３が示すように、基準点２ａの前後に目標球の外周に合わせた半月形のアーチ部8を設け、目標球の中心点を定める際の補助とすることにより、計測の精度を向上させることができる。
【００２３】
また図２が示すようにガイドプレートの両端又はどちらかの一方にガード２ｂを設けることにより、スケール４の巻き出し、巻き取り時に安定してスケールをガイドプレート上に定めておくことができる。
【００２４】
またガイドプレートの別の形態として、アクリル等の透明体より形成されたプレートに目標球の直径を基に２本の平行な補助線とその中間に基準線を設けた形態にしてもよい。
【００２５】
固定軸棒は必ずしも四角柱である必要はなく、多角柱や円柱の形状でもスケールケースを支える目的で機能する。またその底面の形状においては、図１が示すように平らでもよいし、土のグラウンドで競技されることが多いことから、図４が示すように底面を少し鋭角に加工して、若干地面に押し入れる感じでメジャー本体を安定させてもよい。
【００２６】
巻尺ケースとガイドプレート及び固定軸棒との係合に際しては、図５が示すように、ガイドプレート上に２ヵ所の固定用のツメ１０を設け、そのうち一方にネジによるまし締め機能をもたせ、巻尺ケースとガイドプレートの係合の安定を図る、いわばアタッチメントの形態で実施してもよいし、ガイドプレートに巻尺ケース自体を包み込むカバーケースを形成し、一体感を持たせた形態で実施してもよい。
【実施例】
【００２７】
本発明によりビュット７とボール９間の距離を計測する実施例を図６において説明する。
【００２８】
まずビュットの中心点にガイドプレートの基準点を重ね合わせるようにし、固定軸棒を地面に接地させる。巻尺ケースからスケールを繰り出し先端部を１つ目のボールに近づけ大きな衝撃を加えないようにボールの側面にあてがう。その時点でガイドプレートの基準点の目盛を読む。
【００２９】
次にスケール本体を２つ目のボールの方向に向け、１つ目のボールの計測と同じ要領で計測を実施する。これらの計測によりビュットの中心点からそれぞれのボールの側面までの距離が計測できる。
【００３０】
しかしながら、実践においてはビュットからどちらのボールが近いかが判れば判定を下すことができるので、１つ目のボールを計測した時点で、メジャースケールのストッパーを下げスケールを固定した状態で、ガイドプレートの基準点をビュットの中心点からずらさないようにスケールを２つ目のボールの方向に差し向けてやると、スケール先端部がボールから離れているか、もしくは先端部がボールに接触してしまうかにより迅速に遠近の判定を下すことも可能である。
【産業上の利用可能性】
【００３１】
容易に動きやすい球体物質の側面から目標点までの距離を計測する用途にも適用できる。
【図面の簡単な説明】
【００３２】
【図１】実施例を示す斜視図
【図２】ガイドプレート実施例を示す斜視図
【図３】半月形のアーチ部を設けたガイドプレート実施例を示す斜視図
【図４】固定軸実施例を示す斜視図
【図５】アタッチメント実施例を示す平面図
【図６】計測の実施例を示す平面図
【符号の説明】
【００３３】
１    巻尺ケース
２    ガイドプレート
２ａ  基準点
２ｂ  ガード
３    固定軸棒
３ａ  鋭角固定軸棒
４    スケール
５    緩衝材
６    ストッパー
７    ビュット
８    半月形アーチ部
９    ボール
１０  固定用のツメ
【図１】
2007044315.tif 000003
【図２】
2007044315.tif 000004
【図３】
2007044315.tif 000005
【図４】
2007044315.tif 000006
【図５】
2007044315.tif 000007
【図６】
2007044315.tif 000008